(57)【要約】【課題】  撮像記録装置において、地面撮りを検出した際に発生する問題の解決を目的としている。【解決手段】  撮像記録装置が動画データを動画ファイルとして記録中に地面撮りを検出したら記録中の動画ファイルを分割する。【選択図】  図１
2007074536.tif 000002
【特許請求の範囲】
【請求項１】
被写体を撮影する撮像手段を有し、撮像された動画像データより動画データを生成する手段と、前記動画データを動画ファイルとして記録媒体へ記録することが可能な撮像記録装置において、
前記撮像手段により撮像された動画データを第1の動画ファイルとして前記記録媒体に記録中に、前記撮像記録装置の撮影時の姿勢が所定の姿勢となったときに、記録していた第1の動画ファイルを完結させた後、第2の動画ファイルを新たに生成し、引き続き撮影された動画データを前記第2の動画ファイルに記録することを特徴とする撮像記録装置。
【請求項２】
前記所定の姿勢とは、水平から所定角度以上傾いた状態であることを特徴とする請求項１に記載の撮像記録装置。
【請求項３】
前記所定の姿勢とは、地面撮り状態であることを特徴とする請求項１又は２に記載の撮像記録装置。
【発明の詳細な説明】
【技術分野】
【０００１】
本発明は撮像した動画像を動画ファイルとして記録することが可能な撮像装置に関する。
【背景技術】
【０００２】
従来の記録装置において特開平07-288726、特開平10-322631では逆さ撮りの検出方法が提案されている。特開平07-288726ではデジタルビデオカメラが、自身の姿勢を検出する機能を持持たせることにより地面撮りを検出する提案がなされている。特開平10-322631はデジタルビデオカメラが撮影した映像を解析することにより、所定の条件を満たした際に、地面撮りと判定することが提案されている。
【０００３】
また、従来の記録装置は、特開平08-275033、特開平08-307737のように、地面撮りを検出したことにより、記録をストップ、または待機状態になることで、撮影者が意図しない動画の記録自体を行わないようにするものが提案されている。特開平08-275033は、電子ビューファインダーに警告表示することにより、撮影者からの反応がない場合には撮影を停止するといった提案である。特開平08-307737はデジタルビデオカメラの傾きが所定の閾値を越えた際に記録を停止する提案がなされている。
【０００４】
また、特開2003-32607のように、撮影者による開始/停止ボタンの操作を、本体内部の記録メディアに操作情報として記録することにより、たとえ撮影者が気付かずに、逆さ撮りが発生してしまった場合でも、撮影後に前記のボタン操作の情報を利用することで、逆さ撮りしてしまった記録データの修復を容易に行うことが提案されている。
【特許文献１】特開平07-288726
【特許文献２】特開平10-322631
【特許文献３】特開平08-275033
【特許文献４】特開平08-307737
【特許文献５】特開2003-32607
【発明の開示】
【発明が解決しようとする課題】
【０００５】
しかしながら、上記従来技術において、地面撮りを検出した際に記録をストップさせてしまう場合、もし意図的に地面撮りを行いたいと考える撮影者に対しては、逆に不便さを与えることになってしまうといった問題がある。
【０００６】
また、撮影者による録画開始/停止ボタンの操作記録を利用した場合においても、最初の地面撮りが発生した部分においては、単一の動画ファイル内に意図しない地面撮りのデータとユーザの意思で撮影した動画データが混在することになるため、地面撮りデータにより、記録容量を無駄に使用してしまうといった問題がある。
【課題を解決するための手段】
【０００７】
上記の問題を解決するために、本発明に関係する撮像装置は、撮像手段により撮像された動画データを第1の動画ファイルとして前記記録媒体に記録中に、前記撮像記録装置が所定の条件を満たした場合に、記録中の第1の動画ファイルを完結さた後、第2の動画ファイルを新たに生成し、以降に撮影された動画データを前記第2の動画ファイルに記録することを特徴としている。
【発明の効果】
【０００８】
本発明の記録装置によれば、地面撮りをしてしまうことにより、撮影者にとって意図しない動画像データが記録された状況においても、記録装置が地面撮りを検出した時点で記録する動画データを別ファイルとして記録するため、撮影者にとって地面撮りが意図しないものであった場合には、地面撮りの動画が記録されている動画ファイルを消去することで地面撮り前の状態へ回復することができる。
【０００９】
また、地面撮りを検出した状況でも、動画の記録自体は継続させているため、意図的に地面撮りを行っている撮影者に対しても不便を与えることはない。
【発明を実施するための最良の形態】
【００１０】
以下、図面を参照しながら本発明の好適な実施の形態を説明する。
【実施例１】
【００１１】
図１は本発明を適用した再生装置を実装しているデジタルビデオカメラのブロック図である。撮像制御部10１が撮像素子111を制御し、被写体の動画及び静止画の撮影を行い、前記撮像素子111より取り込まれた撮影データを画像処理部106においてにおいて目的のデータフォーマットに変換後に、記録制御部105によって光ディスク又はハードディスク108のような書き換え可能な記録媒体上の特定領域にファイル形式のデータとして転送記録される。また、記録したコンテンツをデジタルビデオカメラの表示部110を用いて再生表示する際には、メイン制御部102より指示を受けた記録制御部105によりディスク108から取得したデータをメイン制御部102で処理することにより、液晶パネルである表示部110への表示データを生成し、表示制御部104に送られる。表示データを受信した表示制御部104により、表示部110に再生画面が表示される。また、外部機器との間でデータの送受信を行う際、送信時はメイン制御部102において送信用のデータが生成され、DIF制御部107へ送られる。
【００１２】
図２は、本実施例を適用したデジタルビデオカメラの外観図である。200はデジタルビデオカメラ本体である。デジタルビデオカメラ200は本体内部にディスクを内蔵しており、前記図１のブロック図を用いて説明した撮像手段により撮影された動画像データを記録することが可能である。
【００１３】
205はレンズ部である。201は電子式ビューファインダー（EVF）である。撮影者はEVFを用いて撮影や再生を行う際に動画像を確認することが可能である。
【００１４】
203はモード切り替えスイッチである。モード切り替えスイッチ203により選択することが可能なモードには記録モードと再生モードが用意されており、撮影者はモード切り替えスイッチ203を操作することにより、動画像データの記録や観覧を選択できるようになっている。202はスタート/ストップボタンである。撮影者はスタート/ストップボタン202を押すことにより、デジタルビデオカメラ200へ記録の開始又は停止を支持することが可能である。
【００１５】
208はズームレバーである。モード切り替えスイッチ203が記録モードのポジションにある場合には、記録中の動画像データの広角側、望遠側を調節することが可能である。また、モード切り替えスイッチ203が再生モードのポジションにある場合には、再生対象となっている動画像データの再生ズームを調節したり、インデックス表示画面へ遷移させたりすることが可能である。
【００１６】
209には操作スイッチが集められており、再生系やメニュー操作を行うためのキーが配置されている。
【００１７】
204は液晶パネルである。デジタルビデオカメラが記録中には記録動画、又は記録静止画を表示し、逆にデジタルビデオカメラが再生中の時は、再生対象となっている記録済みの動画又は静止画データを表示することにより、撮影者が記録中、再生中の動画像データを確認することが可能となる。また、記録時間やバッテリー残量といった不可情報を表示することで、撮影者にデジタルビデオカメラの状態を通知することが可能である。
【００１８】
206は映像データと共に音声データを記録するためのマイクである。207はスピーカであり、ディスクに記録されている動画データを再生する際に、動画データと一緒に記録されている音声データを再生するために用いられる。210はバッテリーであり、デジタルビデオカメラを動作させるために必要な電力が供給される。
【００１９】
まず撮影者により、スタート/ストップボタン202が押されることにより、図３のシーケンス図に従う処理が開始される。ステップ301において、録画開始が選択され、ステップ302へ移行する。ステップ302において、デジタルビデオカメラ200が撮影手段を用いて撮影した動画像データを記録するための動画ファイルMOV001.MPGをOpenし、ステップ303へ移行する。
【００２０】
このとき、デジタルビデオカメラ200はディスク108内に図4に示すようなディレクトリの階層構造の下で動画ファイルを生成する。まず、ROOTディレクトリ直下に生成されるSD_VIDEOディレクトリは動画データを記録するディレクトリであることを示している。その下の、PRL001，PRL002，PRL003，PRL004，‥‥ はコンテンツ識別用のディレクトリである。ディレクトリを識別するルールとしては、日付や電源投入などが識別ルールとして挙げられる。これら各識別ディレクトリの下に動画ファイルがMOV001.MPG，MOV002.MPG，MOV003.MPG ‥‥ のように、文字列MOVのあとに三桁の数字をインクリメントしていく形で記録されていく。以上のような規則の下で、デジタルビデオカメラは動画ファイルの記録を実行する。
【００２１】
次に、ステップ303において、地面撮りを検出するための姿勢検出部を起動する。ここまでの処理により、録画開始の準備を完了したことになり、ステップ304へ移行し、実際に、記録用ファイルへの記録を開始する。
【００２２】
ステップ305からは、実際に動画データを記録中の処理シーケンスとなる。動画データを記録中のデジタルビデオカメラ200はステップ305において、スタート/ストップボタン202が押されたか否かの検出を行う。動画記録中において、スタート/ストップボタンが押されるということは、撮影者により記録ストップを要求されたことを意味しているため、ステップ306へ移行し、記録の終了処理が行われる。まずステップ310において起動した姿勢検出部を終了させた後、ステップ311へ移行する。ステップ311において、記録中の動画ファイルをCloseすることで、一連の記録処理を完結させる。また逆にステップ306において、スタート/ストップボタンが押されなかった場合には、ステップ307へ移行し、姿勢検出部で姿勢の変化が発生していないかの判定が行われる。この時の判定条件としては、デジタルビデオカメラ200本体の傾きが所定の閾値を超えたか否かで判定される。傾き無しと判定された場合には、ステップ305への戻り、スタート/ストップボタン202が押されたか否かの判定が行われる。このステップ305→ステップ306→ステップ305 ‥‥ をループしている状態が動画ファイルに動画データの記録を実行している状態である。逆にステップ306において、デジタルビデオカメラ200の水平からの傾きが閾値を超え、姿勢の異常が検出された場合は、地面撮りが発生したと判断されステップ307へ移行する。ステップ307においては、それまで記録していた動画ファイルMOV001.MPGをCloseすることで完結させステップ308に移行する。ステップ308において、記録用の新たな動画ファイルMOV002.MPGを生成し、それ以降に撮影される動画データを動画ファイルMOV002.MPGに記録を開始したことを確認後、ステップ305に戻り、再びステップ305→ステップ306→ステップ305 ‥‥ のループに戻ることになる。ただしこの時のループによる撮影は地面撮りの動画データを記録していることになる。このループの状態において、ステップ306において、姿勢に変化があったと判定された場合には、再びステップ307へと移行する。この時の姿勢の変化とは、デジタルビデオカメラ200の傾きを判定する値が閾値の範囲内に戻ったことを意味する。この姿勢の変化を検出後、再びステップ307→ステップ308の処理により動画ファイルMOV002.MPGを終了させ、新たな動画ファイルMOV003.MPGを生成し、MOV003.MPGへの動画データの記録を開始後、ステップ305へと戻る。
【００２３】
ここまでの処理を経ることで、光磁気ディスク108には動画ファイルが三つ生成されており、且動画ファイルMOV002.MPGには地面撮りの動画が記録されていることになる。この状態において、もし撮影者にとってこの地面撮りが意図しない物であった場合には、動画ファイルMOV002.MPGを削除することで、光磁気ディスクの無駄な使用領域を回復させることができる。また、意図的に地面撮りの動画を撮影していた場合にも、動画データの記録は行われているため、撮影者の意図に反して記録がストップしてしまうといった問題も発生しない。
【図面の簡単な説明】
【００２４】
【図１】本発明の第１実施例のビデオカメラに関する構成ブロック図である。
【図２】実施例におけるビデオカメラの外観図である。
【図３】実施例における動画ファイルの分割処理を行うためのフローチャート図である。
【図４】実施例における動画ファイルのディレクトリ構造を示した図である。
【符号の説明】
【００２５】
１０１  撮像制御部
１０２  メイン制御部
１０３  再生制御部
１０４  表示制御部
１０５  記録制御部
１０６  画像処理部
１０８  光磁気ディスク
１０９  内部メモリ
１１０  表示部
１１１  撮像ユニット
２００  デジタルビデオカメラ本体
２０１  電子式ビューファインダー（ＥＶＦ）
２０２  スタート/ストップボタン
２０３  モード切り替えスイッチ
２０４  液晶パネル
２０５  レンズ部
２０６  マイク
２０７  スピーカ
２０８  ズームレバー
２０９  操作スイッチ部
２１０  バッテリー
【図１】
2007074536.tif 000003
【図２】
2007074536.tif 000004
【図３】
2007074536.tif 000005
【図４】
2007074536.tif 000006